(57)【要約】【課題】缶の開栓を容易にする。【解決手段】缶蓋１は、パネル部１２に刻まれたスコア線１４と、開口操作に応じてスコア線１４で規定された領域を押し下げて開口を形成するようにリベット１８によってパネル部１２の表側に固定されたタブ１６とを有する。パネル部１２は、リベット１８の位置から見て、開口が形成される位置の反対側の位置に、パネル部１２の裏側方向に窪んだ凹部２０を有する。凹部２０の全体領域は、タブ１６の指掛け操作部１６ａとパネル部１２の外縁との間の領域及び指掛け操作部１６ａの下方の領域を含み、かつ、指掛け操作部１６ａの方向に凸をなす曲線形状を有し、凹部２０の底面２０ａも、指掛け操作部１６ａの方向に凸をなす曲線形状を有する。【選択図】図１
2007176547.tif 000002
【特許請求の範囲】
【請求項１】
パネル部に刻まれたスコア線と、開口操作に応じて前記スコア線で規定された領域を押し下げて開口を形成するようにリベットによって前記パネル部の表側に固定されたタブとを有する缶蓋であって、
前記パネル部は、前記リベットの位置から見て前記開口が形成される位置の反対側の位置に前記パネル部の裏側方向に窪んだ凹部を有し、前記凹部の全体領域は、前記タブの指掛け操作部と前記パネル部の外縁との間の領域及び前記指掛け操作部の下方の領域を含み、かつ、前記指掛け操作部の方向に凸をなす曲線形状を有し、前記凹部の底面も、前記指掛け操作部の方向に凸をなす曲線形状を有する、
ことを特徴とする缶蓋。
【請求項２】
前記指掛け操作部は、前記パネル部から離れる方向に凸をなす凸部を有し、前記指掛け操作部と前記リベットとを結ぶ線に直交する方向における前記凸部の幅が前記方向における前記タブの幅の４０〜６０％の範囲内であることを特徴とする請求項１に記載の缶蓋。
【請求項３】
前記凸部の高さは、０．１〜０．５ｍｍの範囲内であることを特徴とする請求項２に記載の缶蓋。
【請求項４】
前記凹部の深さは、０．５〜１．２ｍｍの範囲内であることを特徴とする請求項１乃至３のいずれか１項に記載の缶蓋。
【請求項５】
前記凹部の底面は、傾斜面によって全周的に囲まれていることを特徴とする請求項１乃至４のいずれか１項に記載の缶蓋。
【請求項６】
前記凹部の底面の面積は、前記凹部の全体領域の面積の１０〜４０％の範囲内であることを特徴とする請求項１乃至５のいずれか１項に記載の缶蓋。
【請求項７】
陽圧缶用の蓋として構成されていることを特徴とする請求項１乃至６のいずれか１項に記載の缶蓋。
【請求項８】
パネル部に刻まれたスコア線と、開口操作に応じて前記スコア線で規定された領域を押し下げて開口を形成するようにリベットによって前記パネル部の表側に固定されたタブとを有する陽圧缶用缶蓋であって、
前記パネル部は、前記リベットの位置から見て前記開口が形成される位置の反対側の位置に前記パネル部の裏側方向に窪んだ凹部を有し、前記凹部の全体領域は、前記タブの指掛け操作部と前記パネル部の外縁との間の領域及び前記指掛け操作部の下方の領域を含み、前記指掛け操作部は、前記パネル部から離れる方向に凸をなす凸部を有することを特徴とする陽圧缶用缶蓋。
【請求項９】
前記指掛け操作部と前記リベットとを結ぶ線に直交する方向における前記凸部の幅が前記方向における前記タブの幅の４０〜６０％の範囲内であることを特徴とする請求項８に記載の陽圧缶用缶蓋。
【請求項１０】
胴部に缶蓋を巻き締めて形成された缶であって、
前記缶蓋は、パネル部に刻まれたスコア線と、開口操作に応じて前記スコア線で規定された領域を押し下げて開口を形成するようにリベットによって前記パネル部の表側に固定されたタブとを有し、
前記パネル部は、前記リベットの位置から見て前記開口が形成される位置の反対側の位置に前記パネル部の裏側方向に窪んだ凹部を有し、前記凹部の全体領域は、前記タブの指掛け操作部と前記パネル部の外縁との間の領域及び前記指掛け操作部の下方の領域を含み、かつ、前記指掛け操作部の方向に凸をなす曲線形状を有し、前記凹部の底面も、前記指掛け操作部の方向に凸をなす曲線形状を有する、
ことを特徴とする缶。
【請求項１１】
胴部に缶蓋を巻き締めて形成された陽圧缶であって、
前記缶蓋は、パネル部に刻まれたスコア線と、開口操作に応じて前記スコア線で規定された領域を押し下げて開口を形成するようにリベットによって前記パネル部の表側に固定されたタブとを有し、
前記パネル部は、前記リベットの位置から見て前記開口が形成される位置の反対側の位置に前記パネル部の裏側方向に窪んだ凹部を有し、前記凹部の全体領域は、前記タブの指掛け操作部と前記パネル部の外縁との間の領域及び前記指掛け操作部の下方の領域を含み、前記指掛け操作部は、前記パネル部から離れる方向に凸をなす凸部を有することを特徴とする陽圧缶。
【発明の詳細な説明】
【技術分野】
【０００１】
本発明は、缶蓋及び缶に関する。
【背景技術】
【０００２】
飲料入り缶製品は、缶の胴部に飲料を充填し、その胴部の開口端部に対して缶蓋を巻き締めて密閉することによって製造されうる。現在の缶蓋或いは缶は、タブの投げ捨ての防止、或いは、タブの回収の容易性の観点から、タブが缶蓋のパネルに連結されたままでの開栓が可能なステイオンタブ式が主流と成っている。
【０００３】
ステイオンタブ式の缶蓋或いは缶は、パネル部に刻まれたスコア線と、開口操作に応じて前記スコア線で規定された領域を押し下げて開口を形成するようにリベットによってパネル部の表側に固定されたタブとを有する。
【０００４】
特許文献１には、つまみ片（タブ）の持ち上げ端（指掛け操作部）の外周側に指掛け用凹部を有するステイオンタブ式の缶蓋が開示されている。この指掛け用凹部は、全体としてリベット方向（中心方向）に向かってやや凹をなす形状、すなわち、パネル部の外縁の円弧に沿った形状を有する。
【特許文献１】特開２００１−２３３３３５号公報
【発明の開示】
【発明が解決しようとする課題】
【０００５】
特許文献１に記載されたようにパネル部の外縁の円弧に沿った円弧形状を有する指掛け用凹部では、開栓のために指先を指掛け用凹部と持ち上げ端との間に差し込んで開栓操作をする際に、円弧形状の指掛け用凹部の中央部に指が誘導されにくく、円弧の左端又は右端方向に指の動きが逸れることがある。円弧の左端又は右端に指の動きが逸れると、タブが指掛け用凹部の中央からリベットの方向に向かってまっすぐに引かれず、斜め方向に引かれることがある。この場合、タブによって開口片に適正な力が加わらず、開口片が適正に缶内に向かって折れ曲がらないままでタブが缶蓋から外れてしまうことが起こりうる。
【０００６】
一方、陽圧缶用の缶蓋では、持ち上げ端（指掛け操作部）が平らなタブが使用されているが、平らな持ち上げ端では、それと指掛け用凹部との間に指先を挿入し難いことから、開栓し難いことがある。
【０００７】
本発明は、上記の課題認識を契機としてなされたものであり、例えば、開栓が容易な缶蓋及び缶を提供することを目的とする。
【課題を解決するための手段】
【０００８】
本発明の第１の側面は、パネル部に刻まれたスコア線と、開口操作に応じて前記スコア線で規定された領域を押し下げて開口を形成するようにリベットによって前記パネル部の表側に固定されたタブとを有する缶蓋を対象とするものである。ここで、前記パネル部は、前記リベットの位置から見て前記開口が形成される位置の反対側の位置に前記パネル部の裏側方向に窪んだ凹部を有する。前記凹部の全体領域は、前記タブの指掛け操作部と前記パネル部の外縁との間の領域及び前記指掛け操作部の下方の領域を含み、かつ、前記指掛け操作部の方向に凸をなす曲線形状を有する。前記凹部の底面も、前記指掛け操作部の方向に凸をなす曲線形状を有する。
【０００９】
本発明の好適な実施形態によれば、前記指掛け操作部は、前記パネル部から離れる方向に凸をなす凸部を有し、前記指掛け操作部と前記リベットとを結ぶ線に直交する方向における前記凸部の幅が前記方向における前記タブの幅の４０〜６０％の範囲内であることが好ましい。
【００１０】
本発明の好適な実施形態によれば、前記凸部の高さは、０．１〜０．５ｍｍの範囲内であることが好ましい。
【００１１】
本発明の好適な実施形態によれば、前記凹部の深さは、０．５〜１．２ｍｍの範囲内であることが好ましい。
【００１２】
本発明の好適な実施形態によれば、前記凹部の底面は、傾斜面によって全周的に囲まれていることが好ましい。
【００１３】
本発明の好適な実施形態によれば、前記凹部の底面の面積は、前記凹部の全体領域の面積の１０〜４０％の範囲内であることが好ましい。
【００１４】
本発明の好適な実施形態によれば、前記缶蓋は、陽圧缶用の蓋として構成されうる。
【００１５】
本発明の第２の側面は、パネル部に刻まれたスコア線と、開口操作に応じて前記スコア線で規定された領域を押し下げて開口を形成するようにリベットによって前記パネル部の表側に固定されたタブとを有する陽圧缶用缶蓋を対象とする。ここで、前記パネル部は、前記リベットの位置から見て前記開口が形成される位置の反対側の位置に前記パネル部の裏側方向に窪んだ凹部を有する。前記凹部の全体領域は、前記タブの指掛け操作部と前記パネル部の外縁との間の領域及び前記指掛け操作部の下方の領域を含む。前記指掛け操作部は、前記パネル部から離れる方向に凸をなす凸部を有する。
【００１６】
本発明の好適な実施形態によれば、前記指掛け操作部と前記リベットとを結ぶ線に直交する方向における前記凸部の幅が前記方向における前記タブの幅の４０〜６０％の範囲内であることが好ましい。
【００１７】
本発明の第３の側面は、胴部に缶蓋を巻き締めて形成された缶を対象とする。ここで、前記缶蓋は、パネル部に刻まれたスコア線と、開口操作に応じて前記スコア線で規定された領域を押し下げて開口を形成するようにリベットによって前記パネル部の表側に固定されたタブとを有する。前記パネル部は、前記リベットの位置から見て前記開口が形成される位置の反対側の位置に前記パネル部の裏側方向に窪んだ凹部を有する。前記凹部の全体領域は、前記タブの指掛け操作部と前記パネル部の外縁との間の領域及び前記指掛け操作部の下方の領域を含み、かつ、前記指掛け操作部の方向に凸をなす曲線形状を有する。前記凹部の底面も、前記指掛け操作部の方向に凸をなす曲線形状を有する。
【００１８】
本発明の第４の側面は、胴部に缶蓋を巻き締めて形成された陽圧缶を対象とする。ここで、前記缶蓋は、パネル部に刻まれたスコア線と、開口操作に応じて前記スコア線で規定された領域を押し下げて開口を形成するようにリベットによって前記パネル部の表側に固定されたタブとを有する。前記パネル部は、前記リベットの位置から見て前記開口が形成される位置の反対側の位置に前記パネル部の裏側方向に窪んだ凹部を有する。前記凹部の全体領域は、前記タブの指掛け操作部と前記パネル部の外縁との間の領域及び前記指掛け操作部の下方の領域を含む。前記指掛け操作部は、前記パネル部から離れる方向に凸をなす凸部を有する。
【発明の効果】
【００１９】
本発明によれば、例えば、開栓が容易な缶蓋及び缶を提供することができる。
【発明を実施するための最良の形態】
【００２０】
以下、添付図面を参照しながら本発明の好適な実施形態を説明する。
【００２１】
図１は、本発明の好適な実施形態の缶蓋の構成を示す平面図、図２は、図１の一部を拡大した図、図３は、図１のＡ−Ａ'線における断面図、図４は、図１のＢ−Ｂ'線における断面図、図５は、図１に示す缶蓋を胴部の開口端に巻き締めて形成された缶を示す側面図である。
【００２２】
本発明の好適な実施形態の缶蓋１は、例えば、ビール、発泡酒等のアルコール飲料、又は、清涼飲料等のノンアルコール飲料等の飲料が充填された胴部の開口端部にシーマーによって巻き締められうる。図５は、このようにして製造されうる飲料入り缶を例示的に示している。缶蓋１は、例えば、陽圧缶の缶蓋として構成されうる。ここで、陽圧缶とは、缶の内部の圧力が大気圧よりも高い缶をいう。例えば、ビール、発泡酒、炭酸飲料等の発泡性飲料が充填される缶は、陽圧缶と呼ばれる。
【００２３】
缶蓋１は、例えば、円盤状のパネル部１２を有し、その周囲に環状溝２を有し、更にその周囲にチャックウォール７及びフランジカール部８を有する。フランジカール部８は、胴部３０の開口端への巻き締めに利用される。
【００２４】
パネル部１２は、その裏側方向に窪んだ窪み部６を有しうる。ここで、パネル部１２の表側とは、図５に例示的に示すような飲料入り缶４０において外側に露出する面の側を意味し、裏側とは、内側になる面の側を意味するものとする。
【００２５】
パネル部１２には、スコア線１４が刻まれていて、スコア線１４で囲まれる部分は、開栓時に缶４０の内側に折れ曲がって開口を形成する開口片１５として機能する。開口片１５には、補強ビード４が形成されうる。
【００２６】
パネル部１２の表側には、リベット１８によってタブ１６が固定されている。タブ１６は、開口操作に応じて、スコア線１４で規定された開口片１５となるべき領域を押し下げて開口を形成する。リベット１８は、典型的には、パネル部１２のほぼ中央部に配置されうる。
【００２７】
パネル部１２は、リベット１８の位置から見て、開栓時に開口が形成される位置（開口片１５の位置）の反対側の位置に、パネル部１２の裏側方向に窪んだ凹部２０を有する。凹部２０の全体領域は、タブ１６の指掛け操作部１６ａとパネル部１２の外縁（或いは、環状溝２）との間の領域及び指掛け操作部１６ａの下方の領域を含み、かつ、指掛け操作部１６ａの方向に凸をなす曲線形状を有する（図２において"ａ"を付した部分）。凹部２０の底面２０ａもまた、指掛け操作部１６ａの方向に凸をなす曲線形状を有する（図２において"ｂ）を付した部分）。凹部２０の底面２０ａは、傾斜面２０ｂによって全周的に囲まれている。凹部２０の底面２０ａの面積は、凹部２０の全体領域の面積の１０〜４０％の範囲内であることが好ましい。
【００２８】
凹部２０の全体領域及びその底面２０ａの双方を指掛け操作部１６ａの方向に凸をなす曲線形状とすることによって、開栓時に指先が凹部２０の中央部、そして、タブ１６の中央部に誘導され易くなり、開栓が容易になるとともに開栓の失敗が低減される。
【００２９】
また、凹部２０の全体領域及びその底面２０ａの双方を指掛け操作部１６ａの方向に凸をなす曲線形状とすることによって、少なくとも凹部２０のタブ１６側における傾斜面２０ｂの傾斜角度をほぼ一定にすることができ、缶蓋１の成形（プレス加工）が容易になる。
【００３０】
指掛け操作部１６ａとリベット１８とを結ぶ線に直交する方向における凹部２０とタブ１６とが重なる部分の幅ｗ１は、該方向におけるタブ１６の幅ｗ２よりも小さいことが好ましい。これにより、缶３０をその高さ方向に積み重ねて配置した状態において上の缶を取り去る際に、該上の缶の低部が下の缶のタブ１６における角部ｃに引っ掛かって誤って開栓されることが防止されうる。
【００３１】
指掛け操作部１６ａは、図４に例示的に示すように、パネル部１２から離れる方向に凸をなす凸部を有することが好ましい。指掛け操作部１６ａとリベット１８とを結ぶ線に直交する方向における該凸部の幅ｗ３は、該方向におけるタブ１６の幅ｗ２の４０〜６０％の範囲内であることが好ましい。指掛け操作部１６ａが凸部を含んで構成されることにより、開栓時に指掛け操作部１６ａの下側に指先を挿入することが容易になるとともに、該凸部の中央部に対して指先がセンタリングされ易くなり開栓の失敗が低減される。一例として、ｗ２を約１６ｍｍとし、ｗ３を約８ｍｍとすることが好ましい。
【００３２】
指掛け操作部１６ａの凸部の高さ（指掛け操作部１６ａの下端の窪み部６の上面との距離）は、０．１〜０．５ｍｍの範囲内であることが好ましい。
【００３３】
凹部２０の深さ（パネル部１２（窪み部６の外側の領域）の表面と凹部２０の底面２０ａとの距離）ｄは、０．５〜１．２ｍｍの範囲内であることが好ましい。
【図面の簡単な説明】
【００３４】
【図１】本発明の好適な実施形態の缶蓋の構成を示す平面図である。
【図２】図２は、図１の一部を拡大した図である。
【図３】図１のＡ−Ａ'線における断面図である。
【図４】図１のＢ−Ｂ'線における断面図である。
【図５】図１に示す缶蓋を胴部の開口端に巻き締めて形成された缶を示す側面図である。
【符号の説明】
【００３５】
１  缶蓋
２  環状溝
４  補強ビード
６  窪み部
７  チャックウォール
８  フランジカール部
１２  パネル部
１４  スコア線
１６  タブ
１６ａ  指掛け操作部
１８  リベット
２０  凹部
２０ａ  底面
２０ｂ  傾斜面
【図１】
2007176547.tif 000003
【図２】
2007176547.tif 000004
【図３】
2007176547.tif 000005
【図４】
2007176547.tif 000006
【図５】
2007176547.tif 000007